(57)【要約】      （修正有）【課題】組立作業性のよい筆記具クリップ機構を提供する。【解決手段】筆記具のクリップ４の付勢用部材として単一の線材からなるダブルトーションバネ５を用いる。先ずダブルトーションバネ５を筆記具外面に当該外面から離間する形で設けた一対の大径軸部分３ｂへ組み付ける［（ａ）→（ｂ）］。その後、クリップ４の孔部４ｃを小径軸部分３ｃに嵌めるかたちで、当該クリップを取付ける（ｂ）。ダブルトーションバネ５のコイル状部分５ｂを簡略化した変形ダブルトーションバネを用いてもよい。【選択図】図４
0003119147.tif 000002
【実用新案登録請求の範囲】
【請求項１】
筆記具のクリップ部材を、バネ部材の作用により当該クリップ部材の把持部側が筆記具外周面の方に付勢される態様で取り付けた筆記具クリップ機構において、
前記バネ部材は、
単一の線材からなり、
前記線材の各端部側から対向状態で続いて、前記クリップ部材の、その把持部とは反対側の内面に当接した一対の付勢作用部分と、
前記一対の付勢作用部分のそれぞれから対向状態で続いて、筆記具外面に当該外面から離間する形で設けた一対の凸状軸部に、個々に案内された一対の中間部分と、
前記一対の中間部分のそれぞれから続いて、筆記具外面の、前記一対の付勢作用部分と対応する側に支持された単一の基部部分と、
を有していることを特徴とする筆記具クリップ機構。
【請求項２】
前記一対の付勢作用部分は、それぞれの自由端側の方から、前記凸状軸部と、これに対向する前記外面との間の空間域に進入させることができる形状のものである、
ことを特徴とする請求項１記載の筆記具クリップ機構。
【請求項３】
前記一対の中間部分は、それぞれ前記凸状軸部に対応したループ形状のものである、
ことを特徴とする請求項１または２記載の筆記具クリップ機構。
【請求項４】
前記一対の中間部分は、それぞれ前記凸状軸部に対応した略放物線頂点付近の形状のものである、
ことを特徴とする請求項１または２記載の筆記具クリップ機構。
【請求項５】
前記一対の凸状軸部は、それぞれ前記クリップ部材の取付け軸を備えたものである、
ことを特徴とする請求項１，２，３または４記載の筆記具クリップ機構。
【請求項６】
筆記具のクリップ部材を、その把持部側が筆記具外周面の方に付勢された態様に設定するための筆記具クリップ機構用のバネ部材において、
筆記具に組み込まれた最終状態で、
単一線材の各端部側から対向状態で続いて、前記クリップ部材の、その把持部とは反対側の内面に当接する一対の付勢作用部分と、
前記一対の付勢作用部分のそれぞれから対向状態で続いて、筆記具外面に当該外面から離間する形で設けた一対の凸状軸部に、個々に案内される一対の中間部分と、
前記一対の中間部分のそれぞれから続いて、筆記具外面の、前記一対の付勢作用部分と対応する側に支持される単一の基部部分と、
からなることを特徴とする筆記具クリップ機構用のバネ部材。
【請求項７】
前記一対の付勢作用部分は、それぞれの自由端側の方から、前記凸状軸部と、これに対向する前記外面との間の空間域に進入させることができる形状のものである、
ことを特徴とする請求項６記載の筆記具クリップ機構のバネ部材。
【請求項８】
前記一対の中間部分は、それぞれ前記凸状軸部に対応したループ形状のものである、
ことを特徴とする請求項６または７記載の筆記具クリップ機構のバネ部材。
【請求項９】
前記一対の中間部分は、それぞれ前記凸状軸部に対応した略放物線頂点付近の形状のものである、
ことを特徴とする請求項６または７記載の筆記具クリップ機構のバネ部材。
【考案の詳細な説明】
【技術分野】
【０００１】
本考案は、筆記具のクリップ部材をその把持状態に付勢する特定形状のバネ部材や、当該バネ部材を用いた筆記具クリップ機構に関する。特に図示したような、いわゆる「ダブルトーションバネ（捻りバネ）」やそれのコイル部分（ループ部分）を簡略化した形状のバネ部材を用いることを前提としている。
【０００２】
ボールペン，シャープペンシル，蛍光ペンや万年筆などの筆記具は、その携帯時に各種衣服のポケットなどに把持されるクリップ部材を、その軸筒，操作部材，キャップなどに備えている。また、クリップ部材は各種バネによってその把持状態に付勢されている。
【０００３】
そして、この付勢用バネの取付け作業の簡単化や、取付け作業にいたるまでの当該付勢用バネの部品管理の効率化を図ることが望ましく、本考案はこのような要請に応えるものである。
【０００４】
なお、本明細書では、原則として「筆記具」の語をクリップ部材が含まれる概念のものとして用いる。また、図１のボールペンのペン先が出没する開口部側を「先」，「前」とし、当該開口部とは反対の尾栓側を「後」とする。
【背景技術】
【０００５】
これまでも、トーションバネによりクリップ部材をその把持方向に回動するように付勢した筆記具が提案されている（例えば特許文献１参照）。
【０００６】
ここでは、書記部材（ボールペンレフィールなど）収容する軸筒後部に形成した一対の支え部分のそれぞれに、単一のトーションバネを個々に取り付けている。
【特許文献１】特開２００５−１６９８２０号公報
【考案の開示】
【考案が解決しようとする課題】
【０００７】
このトーションバネでクリップ部材を付勢する筆記具の場合、軸筒後部のバネ支え部分のそれぞれに当該トーションバネを１個ずつ取り付けるものである。すなわち、ダブルトーションバネを積極的に用いようとするものではない。
【０００８】
そのため、従来の上記筆記具に用いられるバネ部材はその取付け前の管理対象が筆記具ごとに２個となって煩雑であり、また、その取付け作業も当該２個のそれぞれに対して行わなければならず効率性が悪いという問題点があった。
【０００９】
そこで、本考案では、筆記具のクリップ部材付勢用のバネ部材として単一のいわゆるダブルトーションバネを用いることにより、筆記具ごとのクリップ部材付勢用のバネ部材を１個で済むようにして、当該バネ部材の管理および組立作業の効率化，簡単化を図ることを目的とする。
【００１０】
さらには、通常のトーションバネのコイル部分（ループ部分）を略放物線頂点付近の形状（Ｕ字状）に簡略化した変形ダブルトーションバネ（図５参照）のを用いることにより、クリップ部材付勢用のバネ部材のコストダウン化や当該バネ部材についての技術の豊富化を図ることを目的とする。
【課題を解決するための手段】
【００１１】
本考案は、以上の課題を次のようにして解決する。
（１）筆記具のクリップ部材（例えば後述のクリップ４）を、バネ部材の作用により当該クリップ部材の把持部側が筆記具外周面の方に付勢される態様で取り付けた筆記具クリップ機構において、
前記バネ部材として、
単一の線材からなり、
前記線材の各端部側から対向状態で続いて、前記クリップ部材の、その把持部とは反対側の内面に当接した一対の付勢作用部分（例えば後述のアーム５ａ，５ａ’）と、
前記一対の付勢作用部分のそれぞれから対向状態で続いて、筆記具外面に当該外面から離間する形で設けた一対の凸状軸部（例えば後述の大径軸部分３ｂ）に、個々に案内された一対の中間部分（例えば後述のコイル状部分５ｂ，Ｕ字状部分５ｂ’）と、
前記一対の中間部分のそれぞれから続いて、筆記具外面の、前記一対の付勢作用部分と対応する側に支持された単一の基部部分（例えば後述の単一化部分５ｃ，５ｃ’）と、
を有しているバネ部材（例えば後述のダブルトーションバネ５，変形ダブルトーションバネ５’）を用いる。
（２）上記（１）において、
前記一対の付勢作用部分を、それぞれの自由端側の方から、前記凸状軸部と、これに対向する前記外面との間の空間域に進入させることができる形状のものとする。
（３）上記（１），（２）において、
前記一対の中間部分を、それぞれ前記凸状軸部に対応したループ形状のもの（例えば後述のコイル状部分５ｂ）とする。
（４）上記（１），（２）において、
前記一対の中間部分を、それぞれ前記凸状軸部に対応した略放物線頂点付近の形状のもの（例えば後述のＵ字状部分５ｂ’）とする。
（５）上記（１），（２），（３），（４）において、
前記一対の凸状軸部として、それぞれ前記クリップ部材の取付け軸（例えば後述の小径軸部分３ｃ）を備えたものを用いる。
（６）筆記具のクリップ部材（例えば後述のクリップ４）を、その把持部側が筆記具外周面の方に付勢された態様に設定するための筆記具クリップ機構用のバネ部材において、
筆記具に組み込まれた最終状態で、
単一線材の各端部側から対向状態で続いて、前記クリップ部材の、その把持部とは反対側の内面に当接する一対の付勢作用部分（例えば後述のアーム５ａ，５ａ’）と、
前記一対の付勢作用部分のそれぞれから対向状態で続いて、筆記具外面に当該外面から離間する形で設けた一対の凸状軸部（例えば後述の大径軸部分３ｂ）に、個々に案内される一対の中間部分（例えば後述のコイル状部分５ｂ，Ｕ字状部分５ｂ’）と、
前記一対の中間部分のそれぞれから続いて、筆記具外面の、前記一対の付勢作用部分と対応する側に支持される単一の基部部分（例えば後述の単一化部分５ｃ，５ｃ’）と、
からなるもの（例えば後述のダブルトーションバネ５，変形ダブルトーションバネ５’）を用いる。
（７）上記（６）において、
前記一対の付勢作用部分を、それぞれの自由端側の方から、前記凸状軸部と、これに対向する前記外面との間の空間域に進入させることができる形状のものとする。
（８）上記（６），（７）において、
前記一対の中間部分を、それぞれ前記凸状軸部に対応したループ形状のもの（例えば後述のコイル状部分５ｂ）とする。
（９）上記（６），（７）において、
前記一対の中間部分を、それぞれ前記凸状軸部に対応した略放物線頂点付近の形状のもの（例えば後述のＵ字状部分５ｂ’）とする。
【考案の効果】
【００１２】
本考案は、このように、筆記具のクリップ部材の付勢用部材として単一バネを用いているので、取付け前のパーツ段階における当該付勢用部材の管理の効率化および、当該付勢用部材を軸筒や（万年筆の）キャップなどへ取り付けるときの作業の簡単化を図ることができる。
【００１３】
また、この単一バネとして、ダブルトーションバネのコイル部分（ループ部分）を略放物線頂点付近の形状（Ｕ字状）に簡略化した新形状の変形ダブルトーションバネ（図５参照）を用いているので、クリップ部材付勢用のバネ部材のコストダウン化や当該バネ部材についての技術の豊富化を図ることができる。
【００１４】
また、この単一ばねのコイル部分（ループ部分）やＵ字状部分を案内する凸状軸部にクリップ部材の取付け軸を設けているので、クリップ部材および（クリップ部材付勢用の）当該単一ばねの組立作業における対象箇所の集中化を図ることができる。
【考案を実施するための最良の形態】
【００１５】
図１乃至図５を用いて本考案を実施するための最良の形態を説明する。
【００１６】
なお、本考案は上述のように各種筆記具のクリップ部材に適用できるものであるが、以下の各図を用いた実施形態では説明の便宜上、２色ボールペンの操作部材に取り付けられたクリップを前提にする。
【００１７】
ここで、
図１は、筆記具の全体構造（一部断面状態）を示し、
図２および図３は、クリップ付勢用のダブルトーションバネをその案内軸に取り付ける際の手順（その１）を示し、
図４は、クリップ付勢用のダブルトーションバネをその案内軸に取り付ける際の手順（その２）を示し、
図５は、クリップ付勢用の変形ダブルトーションバネをその案内軸に取り付ける際の手順を示している。
【００１８】
なお、以下のアルファベット付き参照番号の構成要素（例えば仕切り壁２ａ）は原則として、そのアルファベットなし参照番号の構成要素（例えば後軸筒２）の一部であることを示している。
【００１９】
これらの図において、
１は先端開口部分からペン先が出没する先軸筒，
２はその後側部分が後述の操作部材３の内部に入りこんだ状態で先軸筒１の後側内周面と螺子結合して、後述の２色のボールペンレフィール８，８’を個々に保持する後軸筒，
２ａは後軸筒内部の後側を前後方向の仕切り壁で図１の表側部分と裏側部分とに等しく区分けされた計二個の空間域，
２ｂは当該空間域のそれぞれに設けられて後述の倣い部６ｂを突出させるための前後方向の開口部，
２ｃは当該空間域の天井部分の表面側に形成された一対の起立片部，
２ｄは当該起立片部の後端側に形成されて後述の操作部材３に対する当該後軸筒の安定位置を保持するための半環状の一対の鍔部分，
２ｅは当該後軸筒の後方向への移動を規制するための外周面段部，
２ｆは当該外周面段部が形成されてない方の周面の縦方向縁部
２ｇは上述の後側空間域を画定する底部，
２ｈは当該底部に形成されて後述のボールペンレフィール８を通すための孔部，
３は先軸筒１との間で相対的に周方向に移動可能な筒状の操作部材，
３ａは当該操作部材の外周面に形成された板状の起立部，
３ｂは当該起立部の両面に形成されて後述のダブルトーションバネ５，変形ダブルトーションバネ５’を案内・支持する一対の大径軸部分，
３ｃは当該大径軸部分の外側にこれと同心円状に形成されて後述のクリップ４を支持する一対の小径軸部分，
３ｄは当該操作部材の内周面に形成されてボールペンレフィール８，８’を前後方向に駆動・案内するための一対のカム面，
３ｅは当該カム面の最下部同士の間に形成されて後述の倣い部６ｂを係止するＶ状部，
３ｆは当該操作部材の内周面に形成されて後軸筒２の鍔部分２ｄを受け止める環状段部，
３ｇは当該操作部材の内周面に形成されて、図１のペン先収納モードでの後軸筒２・前軸筒１の後退動作を規制し、また、当該操作部材を筆記モードに回動操作した段階で当該後軸筒の縦方向縁部２ｆに当接してその後の同じ方向への（筆記モード解除のための）回動操作を規制する一対の縦リブ（図示されているのは一方のみ），
４は操作部材３の小径軸部分３ｃに取り付けられた回動可能なクリップ，
４ａは取付け用の一対の起立片部，
４ｂは当該起立片部に形成された取付けガイド用の溝状部，
４ｃは当該溝状部に続く部分で取付け後の小径軸部分３ｃが入り込む孔部，
５はクリップ４を図１の反時計方向に付勢するため操作部材３の大径軸部分３ｂに取り付けられたダブルトーションバネ（図１〜図４参照），
５’はクリップ４を同じく反時計方向に付勢するため操作部材３の大径軸部分３ｂに取り付けられた変形ダブルトーションバネ（図５参照），
５ａ，５ａ’はそれぞれクリップ４の内面側に当接して図示反時計方向への付勢力を当該クリップに作用させる一対の自由端側のアーム，
５ｂはアーム５ａのそれぞれから続く中間部分であって操作部材３の大径軸部分３ｂに案内・支持される一対のコイル状部分（ループ状部分），
５ｂ’はアーム５ａ’のそれぞれから続く中間部分であって操作部材３（起立部３ａ）の大径軸部分３ｂに案内・支持される略放物線頂点付近の形状をした一対のＵ字状部分，
５ｃはコイル状部分５ｂのそれぞれからアーム５ａとは反対側に続いて操作部材３の外周面に支持される単一化部分，
５ｃ’はＵ字状部分５ｂ’のそれぞれからアーム５ａ’とは反対側に続いて操作部材３の外周面（起立部３ａとの境界部分）に支持される単一化部分，
６は後述のボールペンレフィール８，８’を着脱可能な形で保持して、操作部材３の先軸筒１（および後軸筒２）に対する相対的な回動操作に応じて後軸筒２の各空間域２ａを前後方向に移動する一対の保持部材，
６ａは当該保持部材の大径のヘッド部分，
６ｂは当該ヘッド部分の外周面に凸態様で形成されて操作部材３のカム面３ｄと当接する三角形状の倣い部，
６ｃは当該ヘッド部分に続く中径のバネ巻回部分，
６ｄは当該バネ巻回部分に続く小径の取付軸，
７は後軸筒２の底部２ｇと保持部材６のヘッド部分６ａ（の底面）との間に配されて当該保持部材を後方に付勢する一対のコイル状バネ，
８は保持部材６の小径の取付軸６ｄに着脱可能な形で嵌合している赤色のボールペンレフィール（チューブ＋チップ），
８’は同じく保持部材（図示省略）の取付軸に着脱可能な形で嵌合している黒色のボールペンレフィール（チューブ＋チップ），
９は操作部材３の後端側外周面と螺子結合している尾栓，
をそれぞれ示している。
【００２０】
なお、ボールペンレフィール８’の保持部材，コイル状バネおよび縦リブはそれぞれ図１の裏側に位置するので図示していない。
【００２１】
以上の構成要素において、先軸筒１，後軸筒２,操作部材３,クリップ４,保持部材６や尾栓９はそれぞれ、例えばポリアミド,ポリプロピレン,ポリアセタール,ポリブチレンテレフタレート,アクリロニトリル・スチレン樹脂,アクリロニトリル・ブタジエン・スチレン樹脂などの合成樹脂で一体成形されたものである。
【００２２】
そして、ダブルトーションバネ５,変形ダブルトーションバネ５’,コイル状バネ７は鉄，ステンレスなどの金属製のものであり、また、ボールペンレフィール８,８’のチューブ部分はポリプロピレンからなる合成樹脂製のものであって、同レフィールのチップ部分は真鍮，ステンレスなどからなる金属製のものである。
【００２３】
本考案の基本的特徴は、操作部材３の小径軸部分３ｃに取り付けられたクリップ４を図１の反時計方向に付勢するためのバネとして、それぞれ単一線材からなるダブルトーションバネ５（図１〜図４参照）や変形ダブルトーションバネ５’（図５参照）を用いたことである。
【００２４】
それ以外の筆記具としての構造、例えばボールペンレフィール８,８’の繰り出し機構やクリップ４のみの取付機構などは周知のものである。
【００２５】
図２〜図４はクリップ４およびダブルトーションバネ５を操作部材３に取付けるときの手順（その１,その２）を示している。
【００２６】
図２および図３のダブルトーションバネ５などの取付作業手順（その１）は、
(a)先ず、当該バネの一対のアーム５ａをそれぞれ操作部材３の大径軸部分３ｂと外周面との間の空間域に、後方から図示矢印方向に入れていき、
(b)次に、当該バネの一対のコイル状部分５ｂをそれぞれいったん外側に広げてから大径軸部分３ｂに嵌め、
(c)次に、当該バネを図示矢印方向に回動してＵ字状の単一化部分５ｃが操作部材３の外周面に当接するようにし、
(d)次に、クリップ４をその一対の溝状部４ｂから操作部材３の小径軸部分３ｃに押し込んでいって、当該溝状部に続く孔部４ｃに当該小径軸部分のそれぞれを嵌める、
といった内容になっている。
【００２７】
図４のダブルトーションバネ５などの取付作業手順（その２）は、
(a)先ず、当該バネのＵ字状の単一化部分５ｃを操作部材３の外周面に向けた状態で、一対のコイル状部分５ｂをそれぞれいったん外側に広げてから大径軸部分３ｂに嵌め、
(b)次に、クリップ４をその一対の溝状部４ｂから操作部材３の小径軸部分３ｃに押し込んでいって、当該溝状部に続く孔部４ｃに当該小径軸部分のそれぞれを嵌める、
といった内容になっている。
【００２８】
図５はクリップ４および変形ダブルトーションバネ５’を操作部材３に取付けるときの手順を示しており、それは、
(a)先ず、当該バネの一対のアーム５ａ’をそれぞれ操作部材３の大径軸部分３ｂと外周面との間の空間域に後方から入れてから図示矢印方向に回動させることにより、当該バネのＵ字状部分５ｂ’および単一化部分５ｃ’を当該大径軸部分や当該外周面（起立部３ａとの境界部分）に当接させ、
(b)次に、クリップ４をその一対の溝状部４ｂから操作部材３の小径軸部分３ｃに押し込んでいって、当該溝状部に続く孔部４ｃに当該小径軸部分のそれぞれを嵌める、
といった内容になっている。
【００２９】
なお、クリップ４を操作部材３の小径軸部分３ｃに押し込んでいくとき、小径軸部分３ｃおよび溝状部４ｂに形成した各テーパ面の作用により当該クリップの一対の起立片部４ａはそれぞれ外側にいったん広がる。そのため、クリップ４はスムーズに小径軸部分３ｃへと押し込まれていき、当該クリップの孔部４ｃが当該小径軸部分の位置までくると起立片部４ａはそれぞれ元の状態に復帰するので、孔部４ｃは小径軸部分３ｃに嵌って確実に保持される。
【００３０】
図１の筆記具を構成する先軸筒１,後軸筒２,操作部材３,保持部材６およびボールペンレフィール８,８’などの関連機構は上述したように周知のものであり、以下その概略を説明する。
【００３１】
先軸筒１と後軸筒２とは螺子結合した一体物であり、当該後軸筒は操作部材３に対して前後方向に微動可能な状態で嵌められている。
【００３２】
後軸筒２を操作部材３に嵌め込む際には、
(1)ボールペンレフィール８,８’の保持部材６およびコイル状バネ７（ただしボールペンレフィール８’の保持部材，コイル状バネはそれぞれ図１の裏側に位置するので図示されていない）を後軸筒２の開口部２ｂに組み込み、
(2)組込み後の後軸筒ユニット（または前軸筒を螺子結合させた後軸筒ユニット）を操作部材３にその開口側から入れていく。
【００３３】
なお、この後軸筒ユニットを操作部材３に入れていくとき、後軸筒２の一対の起立片部２ｃの半環状の後端テーパ周面がそれぞれ、当該操作部材の環状段部３ｆで画定される孔部の内周面に当たってそれぞれ内側に変形しながら当該孔部に入っていく。そして、この後端テーパ周面が当該孔部を通過すると、一対の起立片部２ｃは元の状態にいわゆる弾性復帰して、当該起立片部の各鍔部分２ｄが操作部材３の環状段部３ｆから抜けないようになる。
【００３４】
操作部材３といわばリンクした後軸筒２は、コイル状バネ７の伸び作用により操作部材３に対して前方向に移動した状態となり、その鍔部分２ｄが操作部材３の環状段部３ｆに係止される。
【００３５】
図１のペン先収納モードにおける後軸筒２と操作部材３との間の前後動可能範囲（微動範囲）は、当該後軸筒の外周面段部２ｅと当該操作部材の縦リブ３ｇの下端部分との間の長さ分である。すなわち後軸筒２が、操作部材３との間でコイル状バネ７に抗して相対的に後退するとしても、その外周面段部２ｅが操作部材３の縦リブ３ｇに当たるまでの範囲である。
【００３６】
図１のペン先収納モードの操作部材３を図示矢印方向に回すと、保持部材６の倣い部６ｂが当該操作部材のカム面３ｄにより押し下げられて、最終的には三角形状の当該倣い部が当該カム面の先のＶ状部３ｅに係止される。
【００３７】
これにともない、ボールペンレフィール８のペン先が前軸筒１から突出した筆記モードとなる。このとき、他方のボールペンレフィール８’はそれのコイル状バネおよびカム面（それぞれ図示省略）の作用により後方向に移動する。
【００３８】
なお、他方のボールペンレフィール８’を用いるときは図１の操作部材３を図示矢印とは逆方向に回せばよい。
【００３９】
筆記モードに設定されたボールペンレフィール８，８’のペン先部分を前軸筒１の内部に復帰させるには、操作部材３を筆記モードに設定したときの方向とは逆に、すなわち元の状態に戻すように回せばよい。操作部材３を筆記モード設定操作のときと同じ方向にさらに回そうとしても、すでに当該操作部材の縦リブ３ｇが後軸筒２の縦方向縁部２ｆに当接しているので、当該操作部材は回動しない。
【図面の簡単な説明】
【００４０】
【図１】筆記具の全体構造（一部断面状態）を示す説明図である。
【図２】クリップ付勢用のダブルトーションバネをその案内軸に取り付ける際の手順（その１のａ，ｂ）を示す説明図である。
【図３】クリップ付勢用のダブルトーションバネをその案内軸に取り付ける際の手順（その１のｃ，ｄ）を示す説明図である。
【図４】クリップ付勢用のダブルトーションバネをその案内軸に取り付ける際の手順（その２）を示す説明図である。
【図５】クリップ付勢用の変形ダブルトーションバネをその案内軸に取り付ける際の手順を示す説明図である。
【符号の説明】
【００４１】
１：先軸筒
２：後軸筒
２ａ：計二個の空間域
２ｂ：前後方向の開口部
２ｃ：一対の起立片部
２ｄ：半環状の一対の鍔部分
２ｅ：外周面段部
２ｆ：外周面段部が形成されてない方の周面の縦方向縁部
２ｇ：底部
２ｈ：孔部
３：操作部材
３ａ：板状の起立部
３ｂ：一対の大径軸部分
３ｃ：一対の小径軸部分
３ｄ：一対のカム面
３ｅ：Ｖ字状部
３ｆ：環状段部
３ｇ：一対の縦リブ
４：クリップ
４ａ：一対の起立片部
４ｂ：溝状部
４ｃ：孔部
５：ダブルトーションバネ（図１〜図４参照）
５’：変形ダブルトーションバネ（図５参照）
５ａ，５ａ’：一対の自由端側のアーム
５ｂ：一対のコイル状部分（ループ状部分）
５ｂ’：略放物線頂点付近の形状をした一対のＵ字状部分
５ｃ，５ｃ’：単一化部分
６：一対の保持部材
６ａ：大径のヘッド部分
６ｂ：三角形状の倣い部
６ｃ：中径のバネ巻回部分
６ｄ：小径の取付軸
７：一対のコイル状バネ
８：赤色のボールペンレフィール（のカバー筒）
８’：黒色のボールペンレフィール（のカバー筒）
９：尾栓，
【図１】
0003119147.tif 000003
【図２】
0003119147.tif 000004
【図３】
0003119147.tif 000005
【図４】
0003119147.tif 000006
【図５】
0003119147.tif 000007